(57)【要約】【課題】  呼出先の携帯端末にも呼出信号と共に映像を送信する形態であっても、応答する機器に関わらず映像は同一の記憶場所に保存し、且つ応答操作された機器以外の機器の表示は全て消画する。【解決手段】  個々の患者を撮像するカメラ６を備えると共に、ナースコール親機３及び携帯端末４にカメラ６の撮像映像を表示する表示部３ｂ，４ａを具備し、制御機５にカメラ６の撮像映像を保存する映像記憶部５６を設け、ナースコール子機１による呼び出しが発生したら、制御機ＣＰＵ５７は当該ナースコール子機１に関連付けられているカメラ６を起動して撮像映像を入手し、ナースコール親機３及び携帯端末４に映像を送信すると共に、応答操作を受けて応答機器のみ映像の送信を継続する一方、他の機器に対する映像の送信を終了し、呼出開始から終話するまでのカメラ６の撮像映像を映像記憶部５６に保存する。【選択図】  図１
2014158228.tif 000002
【特許請求の範囲】
【請求項１】
ベッド毎に設置されて患者が看護師を呼び出して通話するためのナースコール子機と、ナースステーションに設置されて前記ナースコール子機からの呼び出しに応答するためのナースコール親機と、看護師が携行して前記ナースコール子機からの呼び出しに応答するための複数の携帯端末と、前記ナースコール子機、前記ナースコール親機、前記携帯端末の間の通信を制御する制御機とを有するナースコールシステムにおいて、
個々の患者を撮像するカメラを備えると共に、前記ナースコール親機及び前記携帯端末は、前記カメラの撮像映像を表示する表示部をそれぞれ具備し、
前記ナースコール親機或いは前記制御機に、前記ナースコール子機と前記カメラとの関係を記憶するカメラ情報記憶部と、前記カメラの撮像映像を保存する映像記憶部と、カメラ撮像映像を制御する映像制御部とを設け、
前記映像制御部は、前記ナースコール子機による呼び出しが発生したら、前記カメラ情報記憶部を参照して当該ナースコール子機に関連付けられているカメラを起動して撮像映像を入手し、前記ナースコール親機及び前記携帯端末に映像を送信すると共に、何れかの機器で応答されると、応答操作された機器に対してのみ前記映像の送信を継続する一方、他の機器に対する映像の送信を終了し、
更に、起動してから通話が終了するまでの前記カメラの撮像映像を前記映像記憶部に保存することを特徴とするナースコールシステム。
【請求項２】
前記ナースコール子機は、通常呼び出しを実施する呼出ボタンに加え、優先度が高く設定された優先呼出ボタンを具備し、
前記映像制御部が保存制御する映像は、前記優先呼出ボタン操作を受けて撮像された映像であることを特徴とする請求項１記載のナースコールシステム。
【発明の詳細な説明】
【技術分野】
【０００１】
本発明は、ナースコールシステムに関し、特に患者を撮像するカメラを備えて、ナースコール子機からの呼び出しを受けて応答者が患者を映像で確認できるナースコールシステムに関する。
【背景技術】
【０００２】
従来より、ナースコール子機による呼び出しに連動して呼出元の患者を撮像するカメラを起動してナースコール親機に表示させ、応答する看護師が患者を映像で確認できるナースコールシステムがある（例えば、特許文献１参照）。
このように患者を映像で確認しながら呼び出しに応答できるため、看護師は患者の元まで出かけることなく患者の状態を把握でき、看護業務に役立てることができた。
【先行技術文献】
【特許文献】
【０００３】
【特許文献１】特開２００５−１５１５４０号公報
【発明の概要】
【発明が解決しようとする課題】
【０００４】
上記特許文献１の構成は、患者映像の表示に加えて、必要に応じて自動録画でき、後から患者の状態を確認することが可能であった。しかしながら、看護師が呼び出しに応答するために携行している携帯端末にも患者映像を表示させ、またその映像を録画するよう構成されてはいなかった。
そのため、携帯端末にも呼出発生の通知と共に患者映像を送信して表示させると共に、その映像を録画する場合、映像の保存先を応答操作した携帯端末とすれば応答中の映像も容易に保存できるため都合が良いが、その後の映像確認する段になると保存先が複数存在することになるため操作が面倒であるし、携帯端末で保存すると患者のプライバシー保護の問題が懸念される。
【０００５】
そこで、本発明はこのような問題点に鑑み、呼出先の携帯端末にも呼出信号と共に映像を送信する形態であっても、応答する機器に関わらず映像は同一の記憶場所に保存し、且つ応答操作が成された時点で応答操作された機器以外の機器は全て映像表示を終了するナースコールシステムを提供することを目的としている。
【課題を解決するための手段】
【０００６】
上記課題を解決する為に、請求項１の発明は、ベッド毎に設置されて患者が看護師を呼び出して通話するためのナースコール子機と、ナースステーションに設置されてナースコール子機からの呼び出しに応答するためのナースコール親機と、看護師が携行してナースコール子機からの呼び出しに応答するための複数の携帯端末と、ナースコール子機、ナースコール親機、携帯端末の間の通信を制御する制御機とを有するナースコールシステムにおいて、個々の患者を撮像するカメラを備えると共に、ナースコール親機及び携帯端末は、カメラの撮像映像を表示する表示部をそれぞれ具備し、ナースコール親機或いは制御機に、ナースコール子機とカメラとの関係を記憶するカメラ情報記憶部と、カメラの撮像映像を保存する映像記憶部と、カメラ撮像映像を制御する映像制御部とを設け、映像制御部は、ナースコール子機による呼び出しが発生したら、カメラ情報記憶部を参照して当該ナースコール子機に関連付けられているカメラを起動して撮像映像を入手し、ナースコール親機及び携帯端末に映像を送信すると共に、何れかの機器で応答されると、応答操作された機器に対してのみ映像の送信を継続する一方、他の機器に対する映像の送信を終了し、更に、起動してから通話が終了するまでのカメラの撮像映像を映像記憶部に保存することを特徴とする。
この構成によれば、携帯端末で応答しても映像はナースコール親機或いは制御機に保存されるし、応答操作を受けて応答操作した機器以外に対する映像の送信は終了するため、患者のプライバシー保護を維持しながらカメラ撮像映像を活用できる。そして、応答する機器によらず呼出操作した時の患者の映像が同一の記憶部に保存されるため、後から呼出時の患者の状態を容易に確認でき、看護記録や家族への説明に役立てることができる。
【０００７】
請求項２の発明は、請求項１に記載の構成において、ナースコール子機は、通常呼び出しを実施する呼出ボタンに加え、優先度が高く設定された優先呼出ボタンを具備し、映像制御部が保存制御する映像は、優先呼出ボタン操作を受けて撮像された映像であることを特徴とする。
この構成によれば、優先度が高い患者の映像のみが保存されるため、映像記憶部を有効に利用でき、映像記憶部が直ぐにオーバーフローする事態を防止できる。
【発明の効果】
【０００８】
本発明によれば、携帯端末で応答しても映像はナースコール親機或いは制御機に保存されるし、応答操作を受けて応答操作した機器以外に対する映像の送信は終了するため、患者のプライバシー保護を維持できる。そして、応答する機器に依らず呼出操作した時の患者の映像が同一の記憶部に保存されるため、後から呼出時の患者の状態を容易に確認でき、看護記録や家族への説明に役立てることができる。
【図面の簡単な説明】
【０００９】
【図１】本発明に係るナースコールシステムの一例を示す構成図である。
【図２】ナースコール親機の回路ブロック図である。
【図３】制御機の回路ブロック図である。
【図４】携帯端末に患者映像が表示された状態を示す説明図である。
【発明を実施するための形態】
【００１０】
以下、本発明を具体化した実施の形態を、図面を参照して詳細に説明する。図１は本発明に係るナースコールシステムの一例を示す構成図であり、１はベッド毎に設置されて患者が看護師を呼び出して通話するためのナースコール子機、２は各病室の出入口に設置されて患者からの呼出発生を報知する表示灯２ａと患者情報表示部２ｂとを備えた廊下灯、３はナースステーションに設置されて患者からの呼び出しを報知し、呼び出しに応答するためのナースコール親機、４は看護師が携行して患者からの呼び出しに応答するための携帯端末、５はナースコール子機１とナースコール親機３と携帯端末４の間の通信を制御する制御機、６はベッド毎に設置されて患者を撮像するためのカメラ、７は基地局８を介して携帯端末４と制御機５の間の通信を管理する交換機である。
【００１１】
廊下灯２、ナースコール親機３、制御機５  カメラ６はそれぞれＨＵＢ１０を介してＬＡＮ接続され、ナースコール子機１は病室毎に廊下灯２に伝送線Ｌ１を介して接続されている。また、交換機７は伝送線Ｌ２を介して制御機５に接続されている。
【００１２】
ナースコール子機１は、患者が操作する呼出握りボタン１ａと壁面に設置されたプレート子機１ｂを有し、プレート子機１ｂは呼出握りボタン１ａを接続するコネクタ１１、通話するためのマイク１２及びスピーカ１３、主に看護師が応援を呼ぶ際に操作するスタッフコールボタン１４、呼出動作をリセットする復旧ボタン１５を備えている。
呼出握りボタン１ａは、通常呼出を実施する呼出ボタン１６に加えて、点滴の終了を通知する点滴ボタン１７、トイレ介助を要求するトイレ介助ボタン１８等を備えている。
【００１３】
スタッフコールボタン１４は優先呼出ボタンであり、この呼出信号（スタッフコール信号）は他の呼出信号より優先処理され、緊急時の呼び出しや患者の処置に応援を必要とする場合に使用される。一方、点滴ボタン１７やトイレ介助ボタン１８は呼出ボタン１６による呼び出しより優先度が低く設定されている。
【００１４】
ナースコール親機３は、呼び出しに対する応答や放送するためのハンドセットや報音部を備えた通話部３ａ、各種情報を表示する表示部３ｂ、患者情報が一覧表示されたボード部３ｃ等を有している。
図２は、ナースコール親機３の主要部を回路ブロック図で示している。図２に示すように、表示部３ｂに表示する画像或いは映像を制御する映像処理部３２、表示部３ｂに組み付けられた操作部としてのタッチパネル３３、ナースコール親機３全体を制御する親機ＣＰＵ３５、通話部３ａで報音或いは通話部３ａから入力される音声信号を処理する音声処理部３６、ボード部３ｃの個々の患者情報表示部Ｍに設けられて呼出元を発光する通知灯３７、他のナースコール機器とＬＡＮ通信するための通信ＩＦ３８等を備えている。
【００１５】
携帯端末４は所謂スマートフォンが適用され、ディスプレイ４ａにはタッチパネルからなる操作部４ｂが具備されている。そして、ナースコール子機１からの呼出発生の通知（スタッフコール信号等）を受けたら呼出音を鳴動させて、同時に伝送された映像をディスプレイ４ａに表示させるアプリケーションソフトウェアがインストールされている。
【００１６】
制御機５は、図３の回路ブロック図に示すよう構成されている。図３に示すように、携帯端末４と看護師の対応関係を記憶する携帯端末テーブル記憶部５１、看護師と患者の対応関係を記憶する担当看護師テーブル記憶部５２、ナースコール子機１とカメラ６との対応関係を記憶するカメラ情報記憶部５３、患者毎の担当医師や救護区分等の患者情報に加えて患者とナースコール子機１の関連付けを記憶する患者情報記憶部５４、呼出履歴を記憶する呼出履歴記憶部５５、カメラ６の撮像映像を保存する映像記憶部５６、機器間の通信及びカメラ６の撮像映像を制御すると共に、制御機５全体を制御する制御機ＣＰＵ５７、他のナースコール機器とＬＡＮ接続する第１通信ＩＦ５８、交換機７を接続する第２通信ＩＦ５９等を備えている。
【００１７】
上記の如く構成されたナースコールシステムの動作は以下のようである。最初に、スタッフコールボタン１４が操作された場合を説明する。ナースコール子機１のスタッフコールボタン１４が押下されると、ナースコール子機１から廊下灯２にスタッフコール信号が送信され、スタッフコール信号を受けた廊下灯２は、表示灯２ａがスタッフコールを示す所定の点灯動作を実施して報知動作すると共に、患者表示部２ｂに呼出元の患者名等の患者情報が表示される。そして、廊下灯２において病室番号情報、ベッド番号情報（ナースコール子機番号情報）等の呼出元情報がスタッフコール信号に添付されて制御機５に送信される。
【００１８】
廊下灯２からスタッフコール信号を受信した制御機５は、制御機ＣＰＵ５７がスタッフコール信号に添付されている病室番号及びベッド番号を読み取って、カメラ情報記憶部５３から関連付けられているカメラ６を選択して起動し、その撮像映像を入手する。そして、入手した撮像映像（以下、単に「映像」とする）をスタッフコール信号と共にナースコール親機３に送信する。また、映像記憶部５６への録画を開始する。
【００１９】
制御機ＣＰＵ５７は、携帯端末テーブル記憶部５１、担当看護師テーブル記憶部５２、患者情報記憶部５４等を参照して、呼出元情報に関連する携帯端末４に対してスタッフコール信号と共に、呼出元の患者情報、映像を送信する。この信号及び映像は、交換機７、基地局８を介して携帯端末４に送信される。
このスタッフコール信号等を受信した携帯端末４は、スタッフコール呼出を通知する所定の呼出音が鳴動すると共に、ディスプレイ４ａに患者情報及び患者の映像を表示する。図４はこうして患者映像をディスプレイ４ａに表示した携帯端末４を示している。
【００２０】
一方、スタッフコール信号及び映像を受信したナースコール親機３は、親機ＣＰＵ３５の制御により呼出音が報音通知され、スタッフコール信号に添付されているナースコール子機１の情報を元に患者情報記憶部５４から呼出元の患者情報が読み取られて表示部３ｂに表示される。更に、ボード部３ｃの対応する患者の通知灯３７が点灯し、表示部３ｂに受信した映像が表示される。
【００２１】
スタッフコール呼出音が報音されたナースコール親機３にて、通話部３ａのハンドセット等で応答操作すると、応答信号が制御機５に送信され、制御機ＣＰＵ５７がナースコール子機１とナースコール親機３との間の通話路を形成して通話が可能となる。こうして、看護師は患者映像を見ながらスタッフコールボタン１４を操作した看護師と通話を実施できる。また制御機ＣＰＵ５７は、ナースコール親機３から応答信号を受けて、携帯端末４に対して実施していた映像及びスタッフコール信号の送信を終了させる。尚、映像の録画、及びナースコール親機３での映像の表示は継続される。
その後、ナースコール親機３が終話操作されたら、制御機ＣＰＵ５７が通話路を遮断すると共にカメラ６の撮像を終了させて録画を終了する。尚、映像は呼出履歴に関連付けられて保存される。
【００２２】
一方、携帯端末４で応答した場合は以下の様である。携帯端末４が所定の応答操作されると、応答信号が基地局８、交換機７を介して制御機５に送信される。この応答信号を受信した制御機５は、制御機ＣＰＵ５７によりナースコール子機１と携帯端末４との間の通話路を形成する。こうして通話が可能となり、看護師は携帯端末４に表示されている映像により患者の状態を確認しながらスタッフコールボタン１４を操作した看護師と通話を実施できる。
【００２３】
また、携帯端末４から応答信号を受けた制御機ＣＰＵ５７は、他の携帯端末４及びナースコール親機３に対して実施していた映像及びスタッフコール信号の送信を終了させる。尚、映像の録画、及び通話路を形成した携帯端末４での映像表示は継続される。
その後、携帯端末４が終話操作されたら終話信号が制御機５に送信され、制御機ＣＰＵ５７は通話路を遮断すると共にカメラ６の撮像を終了させて録画を終了する。
【００２４】
このように、携帯端末４で応答してもカメラ６の撮像映像は制御機５に保存されるし、応答操作を受けて応答操作した機器以外に対する映像の送信は終了するため、患者のプライバシー保護を維持しながらカメラ撮像映像を活用できる。そして、応答する機器に依らず呼出操作した時の患者の映像が同一の記憶部に保存されるため、後から呼出時の患者の状態を容易に確認でき、看護記録や家族への説明に役立てることができる。
また、優先度が高いスタッフコール呼び出しの映像のみが保存されるため、映像記憶部５６を有効に利用でき、映像記憶部５６が直ぐにオーバーフローする事態を防止できる。
【００２５】
一方、呼出ボタン１６による呼び出しはカメラ６は動作するが録画は行わない。また、点滴ボタン１７、トイレ介助ボタン１８による呼び出しは、カメラによる撮像を実施しないし、これらの呼出動作の最中にスタッフコールボタン操作による呼び出しが成されたら、スタッフコール呼出が優先され、先に応答されるよう制御される。
【００２６】
以下、ナースコール子機１の呼出ボタン１６が操作された場合の動作を簡単に説明する。ナースコール子機１の呼出ボタン１６が操作されて呼び出しが成されると、廊下灯２に呼出信号が送信され、表示灯２ａが呼出発生を報知する所定の発光動作を実施し、患者情報表示部２ｂに呼出元の患者情報が表示される。そして、呼出信号に病室番号情報、ベッド番号情報（ナースコール子機番号情報）等の呼出元情報がスタッフコール信号に添付されて制御機５に送信される。
【００２７】
廊下灯２から呼出信号を受信した制御機５では、制御機ＣＰＵ５７が呼出信号に添付された病室番号及びベッド番号を読み取って、カメラ情報記憶部５３から関連付けられているカメラ６を選択してその撮像映像を入手し、その映像を呼出信号と共にナースコール親機３に送信する。また、呼出元情報に関連する携帯端末４に対して呼出信号と共に呼出元の患者情報、及び映像を送信する。呼出信号を受信した携帯端末４は、呼出音が鳴動してディスプレイ４ａに患者情報及び患者映像を表示する。
【００２８】
呼出信号を受信したナースコール親機３では、親機ＣＰＵ３５の制御により、呼出音が報音され、呼出信号に添付されているナースコール子機情報を元に、患者情報記憶部５４から呼出元の患者情報が読み取られて表示部３ｂに表示される。更に、ボード部３ｃの対応する通知灯３７が点灯し、受信した映像が表示部３ｂに表示される。
こうして呼び出しを受けたナースコール親機３において、通話部３ａのハンドセット等で応答操作すると、制御機５がナースコール子機１とナースコール親機３との間の通話路を形成して通話が可能となり、看護師は患者映像を見ながら患者と通話を実施できる。
【００２９】
また、携帯端末４で応答した場合、制御機５が携帯端末４とナースコール子機１との間の通話路を形成して通話が可能となり、看護師は呼出時に患者の状態を映像で確認してから通話に入ることができる。
このように、呼出ボタン１６による呼び出しにおいても、患者映像を見ながら応答できるため、患者の状態を把握できる。
【００３０】
尚、上記実施形態では、スタッフコール呼び出しのみ録画する構成としているが、呼出ボタン１６の操作も加えて録画しても良いし、トイレ介助呼出等も含めて録画しても良い。
また、スタッフコール呼び出しが重複して発生した場合、同時に複数の映像を録画する構成が望ましいが、録画回路が同時に複数映像を録画できない簡易な回路の場合は、前呼び出しの録画を優先させ、応答が終了した時点から後呼び出しを録画することで、短時間であるが映像を保存して後から患者の状態の確認は可能である。
更に、制御機５に映像を保存し、制御機ＣＰＵ５７が映像の制御を行っているが、ナースコール親機３に映像記憶部を設け、親機ＣＰＵ３５にカメラ６の撮像映像制御を行わせても良い。更に、患者情報を管理するためのサーバが接続されている場合は、サーバに映像を保存しても良い。
【符号の説明】
【００３１】
１・・ナースコール子機、２・・廊下灯、３・・ナースコール親機、３ｂ・・表示部、４・・携帯端末、４ａ・・ディスプレイ（表示部）、５・・制御機、６・・カメラ、１４・・スタッフコールボタン（優先呼出ボタン）、１６・・呼出ボタン、５３・・カメラ情報記憶部、５６・・映像記憶部、５７・・制御機ＣＰＵ（映像制御部）。
【図１】
2014158228.tif 000003
【図２】
2014158228.tif 000004
【図３】
2014158228.tif 000005
【図４】
2014158228.tif 000006